(57)【要約】【課題】光ディスクを再生装置で再生するときに観たいコンテンツを選択する場合、リモコンとメニュー画面を使用してスイッチ操作により選択する必要があった。【解決手段】光ディスク面にコンテンツを選択するためのメニューとなる画像を印字しておく。ユーザが再生装置に光ディスクを挿入するときに、再生したいコンテンツに対応する画像の位置を合わせて再生装置に挿入する。再生装置はディスク挿入部１０１により光ディスクの挿入を検知し、カメラ撮影部１０２によりその画像を撮影する。そして画像の位置から、再生すべきコンテンツを特定する。こうして自動的にそのコンテンツを再生することができる。【選択図】図１
2010097627.tif 000002
【特許請求の範囲】
【請求項１】
複数のコンテンツデータを記録すると共に、その印字面に各コンテンツの内容を示す画像を印字した記録媒体。
【請求項２】
前記記録媒体は中心に回転穴を持つ光ディスクであり、前記光ディスクの印字面に前記回転穴の回転中心に対して回転対称に前記コンテンツの内容を示す画像を印字した請求項１記載の記録媒体。
【請求項３】
前記各コンテンツの内容を示す画像と前記コンテンツとを結び付ける情報とを記録媒体の印字面に画像として印字した請求項１又は２記載の記録媒体。
【請求項４】
前記画像と前記コンテンツとを結び付ける情報は、バーコードである請求項３記載の記録媒体。
【請求項５】
請求項１乃至４のいずれか１項の記録媒体を再生する再生装置であって、
前記記録媒体を受け入れる記録媒体挿入部と、
前記記録媒体の印字面に印字されているコンテンツの内容を示す画像を撮影する撮影部と、
前記撮影部で撮影された画像のうち、前記挿入部より挿入された記録媒体の画像の位置に基づいて特定される１つの画像を識別する画像認識部と、
前記認識部で認識された画像に対応するコンテンツを再生すべきコンテンツと判別し、前記記録媒体に記録されている当該コンテンツを再生するコンテンツ再生制御部と、を具備する再生装置。
【請求項６】
前記記録媒体は記録装置に対して着脱自在である請求項１記載の再生装置。
【請求項７】
前記撮影部は、前記記録媒体挿入部による前記記録媒体の挿入時に画像を撮影するラインセンサを有する請求項５記載の再生装置。
【請求項８】
複数のコンテンツデータを記録すると共に、その印字面に各コンテンツの内容を示す画像を印字した記録媒体と、前記記録媒体を再生する再生装置とを有する再生システムであって、
前記再生装置は、
前記記録媒体を受け入れる記録媒体挿入部と、
前記記録媒体の印字面に印字されているコンテンツの内容を示す画像を撮影する撮影部と、
前記撮影部で撮影された画像のうち、前記挿入部より挿入された記録媒体の画像の位置に基づいて特定される１つの画像を識別する画像認識部と、
前記認識部で認識された画像に対応するコンテンツを再生すべきコンテンツと判別し、前記記録媒体に記録されている当該コンテンツを再生するコンテンツ再生制御部と、を具備する再生システム。
【発明の詳細な説明】
【技術分野】
【０００１】
本発明は、光ディスク等の記録媒体とその再生装置、再生システムに関し、特に再生したいコンテンツの選択が容易な記録媒体、再生装置、再生システムに関する。
【背景技術】
【０００２】
ＣＤやＤＶＤなど光学式の光ディスクの大容量化に伴って、一枚の光ディスクに多くのコンテンツを記録するようになってきた。一枚の光ディスクに複数のコンテンツを記録する場合、もしくは長い一つのコンテンツでシーンの変わり目に区切り(チャプタ)を入れて記録している場合に、再生すべきコンテンツを選択する必要がある。従来は光ディスク再生装置に繋がったディスプレイ装置に光ディスクに記録されたメニュー情報を表示し、再生装置やリモコンなどに付けられた十字キーや決定キーを利用して、ユーザが選択することが一般的であった。
【０００３】
特許文献１ではこのメニュー表示と操作用のキーを利用したコンテンツ選択方法が提案されている。これを図２４にて説明する。光ディスク再生装置１００１は光ディスクの再生機能を有しており、通信部１００２，１０１１を介してリモコン装置１０１０に接続されている。リモコン装置１０１０は表示デバイス１０１２を有し、ここに選択用のメニューを表示して、タッチパネル方式の入力ボタン１０１３で入力することで再生コンテンツを選択する。
【０００４】
特に特許文献１では入力用のリモコン装置１０１０にメニューなどの表示装置１０１２を組み込むことで、直感的な操作を実現する方法も開示している。この場合も画面を見てコンテンツを判断し、そのコンテンツに対応したボタンを押すという動作が必要であることには変わらない。
【特許文献１】特開平１１−３２８９３６号
【発明の開示】
【発明が解決しようとする課題】
【０００５】
一枚の光ディスクに多くのコンテンツが入っている場合、その光ディスクを光ディスク再生装置に挿入後、表示装置に選択メニューを表示させる。そしてその表示を操作者が理解し、見たいコンテンツを選んだ後、手元にあるリモコンなどの入力装置を用いて、そのコンテンツに対応したボタンを押すことで初めて見たいコンテンツが再生できるため、大変手間がかかった。
【０００６】
早送りや巻き戻し、スキップ再生機能などの機能を有する再生装置において、見たいコンテンツを再生するために表示装置に映し出される映像を見て、自分が見たいコンテンツであるかを確認しながら、手元にあるリモコンなどの早送りや巻き戻しやスキップ再生機能のボタンを押して、見たいコンテンツの開始場所を見つけ出すこともできるが、この場合も手間のかかるという欠点があった。
【０００７】
本発明は、多数のコンテンツが記録された記録媒体と、そのコンテンツを選択して再生する再生装置及び再生システムであって、再生すべきコンテンツを容易に選択できるようにすることを目的とする。
【課題を解決するための手段】
【０００８】
上記課題を解決するために、本発明は、向きの概念がある記録媒体と、再生装置に入れられたときの記録媒体の向きを検知する機能を有した再生装置において、記録媒体の挿入向きから再生すべきコンテンツを見つけだせるようにする。
【０００９】
この課題を解決するために、本発明の記録媒体は、複数のコンテンツデータを記録すると共に、その印字面に各コンテンツの内容を示す画像を印字したものである。
【００１０】
ここで前記記録媒体は中心に回転穴を持つ光ディスクであり、前記光ディスクの印字面に前記回転穴の回転中心に対して回転対称に前記コンテンツの内容を示す画像を印字するようにしてもよい。
【００１１】
ここで前記各コンテンツの内容を示す画像と前記コンテンツとを結び付ける情報とを記録媒体の印字面に画像として印字するようにしてもよい。
【００１２】
ここで前記画像と前記コンテンツとを結び付ける情報は、バーコードとしてもよい。
【００１３】
この課題を解決するために、本発明の再生装置は、前述の記録媒体を再生する再生装置であって、前記記録媒体を受け入れる記録媒体挿入部と、前記記録媒体の印字面に印字されているコンテンツの内容を示す画像を撮影する撮影部と、前記撮影部で撮影された画像のうち、前記挿入部より挿入された記録媒体の画像の位置に基づいて特定される１つの画像を識別する画像認識部と、前記認識部で認識された画像に対応するコンテンツを再生すべきコンテンツと判別し、前記記録媒体に記録されている当該コンテンツを再生するコンテンツ再生制御部と、を具備するものである。
【００１４】
ここで前記記録媒体は記録装置に対して着脱自在としてもよい。
【００１５】
ここで前記撮影部は、前記記録媒体挿入部による前記記録媒体の挿入時に画像を撮影するラインセンサを有するようにしてもよい。
【００１６】
この課題を解決するために、本発明の再生システムは、複数のコンテンツデータを記録すると共に、その印字面に各コンテンツの内容を示す画像を印字した記録媒体と、前記記録媒体を再生する再生装置とを有する再生システムであって、前記再生装置は、前記記録媒体を受け入れる記録媒体挿入部と、前記記録媒体の印字面に印字されているコンテンツの内容を示す画像を撮影する撮影部と、前記撮影部で撮影された画像のうち、前記挿入部より挿入された記録媒体の画像の位置に基づいて特定される１つの画像を識別する画像認識部と、前記認識部で認識された画像に対応するコンテンツを再生すべきコンテンツと判別し、前記記録媒体に記録されている当該コンテンツを再生するコンテンツ再生制御部と、を具備するものである。
【発明の効果】
【００１７】
記録媒体は通常記録媒体の再生装置と分離できる構造になっており、コンテンツ毎に記録媒体を変えることで手軽に映画・ドラマ・音楽などコンテンツを楽しめる仕組みになっている。
【００１８】
利用者は再生したいコンテンツに基づいて記録媒体を選択し、コンテンツを表示したい画像の位置を合わせて再生装置に挿入する。これにより、記録媒体内の再生したいコンテンツを選び出すことができるため、メニューの起動や、メニュー画面の確認、リモコンなどの入力装置の用意、入力動作などの手間のかかる手順を不要とすることができる。
【発明を実施するための最良の形態】
【００１９】
（実施の形態１）
以下に、本発明を実施するための実施の形態１による再生装置について、図面を参照して説明する。本実施の形態による再生装置は、光ディスクの挿入向きを検知して再生するコンテンツを決定する機能を持った再生装置であり、図１にブロック図を示す。再生装置１００は、ディスク挿入部１０１、カメラ撮影部１０２、挿入位置判断部１０３、画像認識部１０４、コンテンツ再生制御部１０５、ディスク制御部１０６、ピックアップ制御部１０７、コンテンツデコード部１０８を具備している。
【００２０】
ディスク挿入部１０１は、使用者が再生したい光ディスクを挿入すると、これを受け入れるものである。またディスク挿入部１０１は光ディスクの挿入を検知して、ディスクのレーベル面から、光ディスク挿入者(機器の使用者)の意思を認識する動作を開始する。カメラ撮影部１０２は光ディスクのレーベル面を撮影し、撮影された映像を挿入位置判断部１０３に送るものである。挿入位置判断部１０３は、再生すべきコンテンツの画像が画像上のどの位置にあるかを判断するものである。画像認識部１０４は、挿入位置判断部１０３の判断結果に基づき記録された情報を読み取るものである。コンテンツ再生制御部１０５は、読み取った結果に基づいて再生すべきコンテンツを決定する。またコンテンツ再生制御部１０５は画像認識部１０４で決定された再生するコンテンツを再生できるように制御するものである。ディスク制御部１０６は光ディスクの回転制御を行うものであり、ピックアップ制御部１０７はピックアップを制御するものである。コンテンツデコード部１０８は、光ディスクからピックアップを使用して読み出した情報を再生するものである。コンテンツデコード部１０８で再生されたコンテンツは、映像もしくは音声として再生装置１００より出力される。
【００２１】
次に再生装置１００に挿入される記録媒体である光ディスク２００の構造を示す。光ディスクは片面にデータ記録面を持ち、もう片面をレーベル面とすることが多い。図２Ａには光ディスク２００のレーベル面を示し、図２Ｂには光ディスク２００のデータ記録面を示す。図２Ａに示すレーベル面には一般的にその光ディスクのデータ面の記録データ内になんの情報が記載されているかを人間が視覚的に判断できるような情報が書かれている。光ディスク２００の記録データ２０３には映像と音声からなるデータが４組記録されているものとする。これをコンテンツデータとよび、区別するため、夫々コンテンツデータａ、コンテンツデータｂ、コンテンツデータｃ、コンテンツデータｄと名づける。これは一本の映像音声作品の代表的な点で４つに区切ったチャプタであってもよいし、４つの別々の内容のものであってもよい。本実施の形態では４つのコンテンツデータが光ディスク２００に記載されているものとするが、２つ以上であればいくつでもかまわない。またコンテンツは映像と音声の組から成り立っているが、映像だけ、又は音声だけでもかまわない。
【００２２】
レーベル面とデータ面にある回転穴２０１は光ディスク２００を回転させた場合の中心となる部分であり、レーベル面からデータ面に対して貫通している。よって回転穴２０１にコンテンツの記録や印字を行うことはできない。
【００２３】
光ディスク２００のレーベル面にコンテンツの内容を記載する方法について説明する。記録データ２０３には４つのコンテンツが記録されているため、レーベル面にはその４つのコンテンツの代表的なシーンの画像が夫々印刷によって記録されている。その画像をコンテンツデータａ〜ｄに夫々対応するコンテンツシーン画像２０２ａ，２０２ｂ，２０２ｃ，２０２ｄとする。本例では、代表的なシーンとして記録データ２０３に記載される４つのコンテンツの開始シーンの開始画面を記載するものとするが、途中のシーンであってもよい。またコンテンツシーン画像２０２ａ，２０２ｂ，２０２ｃ，２０２ｄがデータ面に記録されている順にレーベル面に右回りの順で記載しているが、逆に左回りであってもよいし、上下右左のように順番ではなくてもよい。
【００２４】
本実施の形態における再生装置１００に光ディスク２００を挿入するディスク挿入部１０１の第１〜第４の構成について説明する。以下では特に区別を要する場合にディスク挿入部１０１Ａ〜１０１Ｄとして示す。図３Ａは本実施の形態における再生装置１００に光ディスク２００をセットする第１の構成を示す。再生装置１００にあるディスク挿入部１０１Ａは、ディスクトレイ１１１及びディスクトレイ開閉スイッチ１１２を有している。
【００２５】
図３Ｂは光ディスク２００のセット手順を示す。まず使用者がディスクトレイ開閉スイッチ１１２を押す（ステップ３００）。再生装置１００はこれを検知し、自動的に再生装置１００の内部に格納されていたディスクトレイ１１１を引出す（ステップ３０１）。使用者は引出されたディスクトレイ１１１に光ディスク２００を置く。このときにコンテンツシーン画像２０２ａ〜２０２ｄのうち、再生したいコンテンツのシーン画像が記載された部分を再生装置１００に近い側に向くように置く（ステップ３０２）。ここではコンテンツデータｂを再生したいとすると、図３Ａのようにコンテンツシーン画像２０２ｂを再生装置１００に向けて配置する。そして再度ディスクトレイ開閉スイッチ１１２を押すことで（ステップ３０３）、ディスクトレイ１１１は再生装置１００に格納される（ステップ３０４）。
【００２６】
図４Ａは本実施の形態における再生装置１００に光ディスク２００をセットする第２の構成を示す。本構造によるディスク挿入部１０１Ｂはスロットイン方式の挿入部であり、スロットイン方式挿入口４０１と光ディスク送出スイッチ１２２を有している。
【００２７】
図４Ｂはこの再生装置での光ディスク２００のセット手順を示す。利用者はスロットイン方式挿入口１２１に光ディスク２００を差し込む。この時に再生したいコンテンツの画像が記載されたコンテンツシーン画像２０２ａ〜２０２ｄのいずれかを再生装置１００に近い側に向くように差し込む（ステップ４０１）。ここではコンテンツデータｂを再生したいとすると、図４Ａのようにコンテンツシーン画像２０２ｂを再生装置１００に向けて配置する。使用者が光ディスク２００の最後まで挿入する方式と、途中まで光ディスク２００を挿入すると、電動モータが自動的に引き込む方式がある。挿入された光ディスク２００は完全に再生装置１００に取り込まれるため、以後は使用者の手が触れることはできない。そのためディスクの取り出し時は光ディスク送出スイッチ１２２を押すことにより、ディスク挿入部１０１Ｂはばね又は電動モータを使用して光ディスクを排出する。
【００２８】
図５Ａは本実施の形態における再生装置１００に光ディスク２００をセットする第３の構造を示す。本構造の再生装置１００にあるディスク挿入部１０１Ｃはトップローディング方式の挿入部であり、トップローディング開閉口（以下、単に開閉口という）１３１と、トップローディング開きスイッチ（以下、単に開きスイッチという）１３２を有している。
【００２９】
図５Ｂに図５Ａでの光ディスク２００のセット手順を記載する。使用者が開きスイッチ１３２を押す（ステップ５００）。この操作によりディスク挿入部１０１Ｃにあるばねの力によって開閉口１３１の蓋が開く（ステップ５０１）。その開口部には回転穴２０１をあわせるための突起部があるため、そこに光ディスク２００をはめ込む形でセットする（ステップ５０２）。このときに再生したいコンテンツの画像が記載されたコンテンツシーン画像２０２ａ〜２０２ｄのうちいずれかを再生装置１００に近い側に向くように差し込む。ここではコンテンツデータｂを再生したいとすると、図５Ａでは蓋の陰となっているが、コンテンツシーン画像２０２ｂを再生装置１００に向けて配置する。光ディスク２００をセットした後に開閉口１３１の蓋を直接押すことでディスク挿入部１０１ｃのばねが縮められ、蓋を閉めることができる（ステップ５０３）。このばねは開閉口１３１を再び開くための力を保持している。
【００３０】
図６Ａは本実施の形態における再生装置１００に光ディスク２００をセットする第４の構成を示す。本構造は第２，第３の方式を組みあわせた構造となっている。本構造の再生装置１００にあるディスク挿入部１０１Ｄは、シェルトップローディング挿入口（以下、単に挿入口という）１４１と、シェルトップローディング開きスイッチ（以下、単に開きスイッチという）１４２を有している。
【００３１】
図６Ｂに図６Ａでの光ディスク２００のセット手順を示す。使用者が開きスイッチ６０２を押す（ステップ６００）。この操作によりディスク挿入部１０１Ｄにあるばねの力によって挿入口１４１の蓋が開く（ステップ６０１）。利用者は挿入口１４１に光ディスク２００を差し込む。このときに再生したいコンテンツの画像が記載されたコンテンツシーン画像２０２ａ〜２０２ｄのうちいずれかを再生装置１００に近い側に向くように差し込む（ステップ６０２）。ここではコンテンツデータｂを再生したいとすると、図６Ａでは蓋の陰となっているが、コンテンツシーン画像２０２ｂを再生装置１００に向けて配置する。挿入された光ディスク２００は完全に挿入口１４１に取り込まれるため、使用者の手が触れることはない。光ディスク２００のセット後に挿入口１４１の上部を直接押すことで閉める（ステップ６０３）。開放時には再度開きスイッチ１４２を押すと、ディスク挿入部１０１にあるばねの力で挿入口１４１が開き、同じくばねの力で挿入口１４１から光ディスク２００が排出される仕組みとなっている。
【００３２】
ここでは再生装置１００のディスク挿入部１０１は、ディスク挿入部１０１Ａ〜１０１Ｄのいずれかの構造をもっていてもよいし、複数の方式を採用した挿入方法であってもよいし、別の方式であってもよい。いずれの方式であっても挿入時に光ディスクに挿入向きが存在していることが重要である。
【００３３】
図１に戻り、光ディスク挿入後の再生機器の動作を、図７を使用しながら説明する。第１〜第４のいずれかの方法で光ディスク２００を挿入すると（ステップ７００）、挿入を検知したディスク挿入部１０１は、カメラ撮影部１０２に光ディスク２００の撮影指示を出す（ステップ７０１）。撮影指示を受けたカメラ撮影部１０２は光ディスク２００のレーベル面を撮影する（ステップ７０２）。撮影した結果は画像として記録される。
【００３４】
本実施の形態の再生装置１００において光ディスクを挿入した場合、撮影された映像の例を図８に示す。図８には光ディスク２００のレーベル面が写っている。光ディスク２００のレーベル面には、コンテンツシーン画像が２０２ａ〜２０２ｄが写っている。この構成は図２Ａと一致するはずである。撮影を行ったカメラ撮影部１０２の位置が固定もしくは位置の制御が行えている場合、ユーザの意思による光ディスク２００の挿入向きと図８の写真の向きは一意に固定できるはずである。本実施の形態では前述した４つのいずれかの挿入方式を使用しているため、挿入方向は図８の右側が早く、左側が遅く挿入されており、右側が挿入方向と特定できる。
【００３５】
カメラ撮影部１０２は図８の映像を挿入位置判断部１０３に送出する（ステップ７０３）。挿入位置判断部１０３は図８の画像と挿入方向の関係からユーザが選択したコンテンツシーン画像が２０２ａ〜２０２ｄのどれかを特定する。この場合には挿入方向に一番近い画像は２０２ｂである。よって挿入位置判断部１０３は図８の映像から選択されたコンテンツシーン画像２０２ｂを抜き出す（Ｓ７０４）。図９は抜き出されたコンテンツシーン画像２０２ｂの一例であり、空と地面と人一人と家が写った画像であるとする。この図９が利用者が再生を希望するコンテンツに対応するシーン画像である。よって再生機器１００は図９と同じ画像が含まれているコンテンツを光ディスク２００内のコンテンツを探して再生をすることを目指す。
【００３６】
挿入位置判断部１０３は抽出された画像を画像認識部１０４に引き渡す。画像認識部１０４は光ディスク２００内のコンテンツデータを検索し、同じ画像を探す処理を開始する（ステップ７０５）。画像認識部１０４はコンテンツ再生制御部１０５に対し、同じコンテンツが見つかるまで順次コンテンツを読み込む指示をだす。光ディスク２００には、コンテンツデータａ、コンテンツデータｂ、コンテンツデータｃ、コンテンツデータｄの４つのコンテンツが記録されているので、これを順次読み出していく。本例では順次読み出すが順不同で読み出してもかまわない。まずコンテンツ再生制御部１０５は、コンテンツデータａを読み出すべく、光ディスクを回転させる（ステップ７０６）。この回転はＣＤやＤＶＤなどの光ディスクタイプの記録メディアでは読み出し方法として一般的に知られている方式である。つづいて光ディスク２００内のデータを読み出すためにピックアップ制御部１０７の制御を開始する（ステップ７０７）。ピックアップ制御部１０７から読み出されたデータはコンテンツデコード部１０８に送られ映像化される。コンテンツデコード部１０８では音声もデコードできるが、ここでは画像での一致確認を行うため、音声はデコードしてもしなくてもかまわない。デコードされた映像は、順次画像認識部１０４に送られる（ステップ７０８）。画像認識部１０４は受け取ったコンテンツ映像が抽出した画像と一致するかどうかを確認する。本実施の形態ではコンテンツを順次読み込んでおり、始めにコンテンツデータａが読み出されるため、一致しない。
【００３７】
コンテンツと抽出した画像が一致しなければ、それは利用者が再生したいと考えているコンテンツではないため、次のコンテンツを探す（ステップ７０９，７１０）。そして次のコンテンツを読み出すべく、光ディスクを回転させる（ステップ７０６）。つづいて光ディスク２００内のデータを読み出すためにピックアップ制御部１０７の制御を開始する（ステップ７０７）。ピックアップ制御部１０７から読み出されたデータはコンテンツデコード部１０８に送られ映像化される。デコードされた映像は、順次画像認識部１０４に送られる（ステップ７０８）。画像認識部１０４は受け取ったコンテンツ映像が抽出した画像と一致するかどうかを確認する。現在確認しているコンテンツはコンテンツデータｂであり、これが図９の画像と一致するものとする。これにより利用者が再生したいコンテンツはコンテンツデータｂであることが特定できる。また一致しなかった場合には、つづいてコンテンツデータｃ、コンテンツデータｄとデコードを行い画像認識部１０４で一致を確認していく。
【００３８】
再生すべきコンテンツを特定できたため、そのコンテンツデータｂの再生を開始する（ステップ７１１）。この場合はコンテンツデコード部１０８で映像と音声をデコードして外部に出力する。
【００３９】
（変形例１）
本実施の形態でのカメラ撮影部１０２はディスク挿入部１０１に光ディスク２００が挿入された後に撮影を行うものとして説明した。しかしディスク挿入部１０１に光ディスク２００を挿入する際に、挿入しながら撮影を行う方式も考えられる。この場合カメラ撮影部１０２Ａは面で撮影するものではなくラインスキャナのように線で撮影する構造を持った撮影素子とする。その場合の再生装置１００Ａを図１０に示す。この場合には、光ディスクのディスク挿入部１０１への挿入速度の制御が欠かせないため、ディスク挿入部１０１は、第１のディスクトレイを使用した構造か、第２のスロットイン方式を使用した構造、即ち１０１Ａ又は１０１Ｂであることが望ましく、ここではディスク挿入部１０１Ａとする。図１０では機器内部の機能部は図１の再生装置１００と共通であるが、ディスク挿入部１０１Ａとカメラ撮影部１０２Ａの間にカメラ撮影部１０２Ａから撮影完了を知らせるラインと、ディスク挿入部１０１Ａから挿入位置判断部１０３へ挿入完了を知らせるラインが追加されている。
【００４０】
カメラ撮影部１０２Ａの設置方法を図１１に示す。図示のように、ディスク挿入部１０１Ａの挿入口に平行に、ラインスキャナ状のカメラ撮影部１０２Ａが設置されている。これにより光ディスク２００の挿入中にカメラ撮影部１０２Ａの下を通るようになるため、挿入開始から挿入終了までの間に光ディスク２００を全て撮影できる。再生装置１００Ａの構造では、ディスク挿入部１０１Ａにより光ディスク２００が矢印方向に少しずつ移動するたびに、光ディスク２００をラインスキャナの構造を有したカメラ撮影部１０２Ａで撮影する。撮影された位置ラインの画像データは挿入位置判断部１０３に送られて蓄積される。撮影が終わったカメラ撮影部１０２Ａは撮影が終わったことをディスク挿入部１０１Ａに伝えて挿入を一歩進める。これを繰り返すことで、挿入完了時には光ディスク２００の全体の画像が挿入位置判断部１０３に蓄積されることになる。ディスク挿入部１０１Ａは光ディスクの挿入の動作が完了すると、その旨を挿入位置判断部１０３へ伝える。これにより挿入位置判断部１０３はディスクのレーベル面に印刷された最初に挿入された映像を判断することができる。
【００４１】
（変形例２）
また、図１０のように光ディスク２００を挿入しながら撮影を行った場合、検出したいコンテンツのシーンを示す画像（例えば図８のコンテンツシーン画像２０２ｂ）は、他の画像より先に撮影されている。よってこれを利用し、コンテンツシーン画像２０２ｂが撮影された時点で他のコンテンツシーン画像を撮影しないようにすることも考えられる。変形例２はこのようにした再生装置１００Ｂである。図１２に示す再生装置１００Ｂは機器内部の機能部は図１０の再生装置１００Ａと共通であるが、挿入位置判断部１０３Ａからカメラ撮影部１０２Ａに対して一番初めに挿入された検出したいコンテンツのシーンを示す画像（本例では図８のコンテンツシーン画像２０２ｂ）を撮影し終わったことを伝えるラインが追加されている。これにより、ラインスキャナのような構造を持ったカメラ撮影素子からライン状に切り取られた光ディスクの画像が送られてくるたびに、それを蓄積し、検出したいコンテンツのシーンを示す画像があることを随時確認する。そのコンテンツシーン画像が見つかった場合には、その旨をカメラ撮影部１０２Ａに伝え、それ以降は挿入中のライン状の画像を撮影しない。これにより光ディスク２００の挿入時の撮影は必要最小限ですませることができる。
【００４２】
（変形例３）
また、カメラ撮影部１０２にラインスキャナを使用した他の変形例について説明する。図１３はこの再生装置１００Ｃ内部の機能部は図１の再生装置１００と共通であるが、カメラ撮影部１０２Ｂで撮影するときにディスク制御部１０６に対する制御を行えるようになっている。ここではカメラ撮影部１０２の設置する位置が異なり、これによりその制御系等が異なっている。図１４にこの変形例３のカメラ撮影部１０２Ｂについて記載する。ディスク挿入部１０１は第１のディスクトレイを使用したディスク挿入部１０１Ａとする。図１４ではカメラ撮影部１０２Ｂを光ディスク２００の回転方向に設置している。
【００４３】
ディスク挿入部１０１Ａに光ディスク２００の挿入が完了した後、カメラ撮影部１０２Ｂに撮影が指示される。カメラ撮影部１０２Ｂはカメラ撮影部１０２とは異なり、光ディスク２００のレーベル面全体を一回で撮影できるわけではない。従ってカメラ撮影部１０２Ｂは、ディスク制御部１０６に少し回転を指示し、光ディスク制御部２００を少しずつ回転させ、回転の終了をまって撮影を行う。撮影されたデータは挿入位置判断部１０３にて蓄積される。これを繰り返しディスク制御部１０６が光ディスク２００を３６０度回転させることで、光ディスク２００のレーベル面全ての撮影が完了する。この時点で挿入位置判断部１０３にはレーベル面の全体像が蓄積されることとなり、その映像はカメラ撮影部１０２で撮影した図８の映像と等価の画像となる。これ以降の処理については図１での手順と同じになる。
【００４４】
本実施の形態では、光ディスク２００に記録されているコンテンツは４種類である場合について説明した。そのためレーベル面に夫々のコンテンツに対応した４つのコンテンツシーン画像が記載されている。次に、コンテンツの量が４つ以外の場合のレーベル面のコンテンツシーン画像を表示した場合の例を示す。図１５Ａは２つ、図１５Ｂは３つ、図１５Ｃは８つのコンテンツを記載した場合の例を示す。このようにコンテンツの数に応じて画像数を変えることで、いくつのコンテンツを記録した光ディスクであっても対応が可能である。尚、図１５Ａ〜図１５Ｃに示すように、コンテンツシーン画像は中心の回転穴に対し回転対称に配置することが好ましい。
【００４５】
画像認識部１０４において、コンテンツ映像から画像認識を行う場合、画像の向きが問題となる。比較を行うときに画像の向きにばらつきがあると回転させる必要があるため、９０度ずつの回転があったとしても４回比較する必要がでてくる。そこで光ディスクの円状構造に目を付けて、一定の向きにそろえることで比較回数を容易に減らすことができる。この配置の例を図１６Ａ〜図１６Ｃに示す。ここでは画像の向きに関しては文字にて「上下」と記載することとする。図１６Ａは光ディスク２００のレーベル面にコンテンツシーン画像をディスクの内側が上になるように配置したものである。図１６Ｂは光ディスク２００のレーベル面にコンテンツシーン画像をディスクの外側が上になるように配置したものである。図１６Ｃは光ディスク２００のレーベル面にコンテンツシーン画像を回転方向に一定になるように配置したものである。このように一定のルールにもとずいて並べることで、ディスクをどのように回転させても常に一定の向きを保つので、画像認識部１０４での比較が行いやすい。
【００４６】
（実施の形態２）
以下に、本発明の実施の形態２について、図面を参照して説明する。まず、本実施の形態の再生装置３００を図１７に示す。再生装置３００の構成は実施の形態１の再生装置１００と基本的には同じである。この実施の形態では、コンテンツデコード部１０８からデコード後のコンテンツを画像認識部１０４に伝送する経路がなくなっている。
【００４７】
この実施の形態の光ディスク４００のレーベル面を図１８Ａに、データ面を図１８Ｂに示す。光ディスク４００は、ここでは４つコンテンツデータを記録しており、記録面データ２０３と中央の回転穴２０１、及びレーベル面のコンテンツの内容を示すシーン画像２０２ａ，２０２ｂ，２０２ｃ，２０２ｄは図２Ａ、図２Ｂで説明したものと同じである。この光ディスク４００では、４つのコンテンツシーン画像２０２ａ，２０２ｂ，２０２ｃ，２０２ｄに夫々隣接して、コンテンツ情報バーコード３０４ａ，３０４ｂ，３０４ｃ，３０４ｄが印字されている。コンテンツ情報バーコードには、組となったコンテンツ画像のシーンを示す情報、例えば時間、トラック番号、チャプタ番号、シーン番号、画像枚数などの一意のシーンを特定できる情報を記録するものとする。バーコードは機械にとって理解しやすい記録方法であるものの、利用者である人間にとってはその情報を理解することができない。そこで、夫々バーコードと画像とを組にしている。画像は代表的なシーンであったり、コンテンツの内容の説明であってもよい、実施の形態１と異なる点は、実施の形態１では利用者である人間が視覚的に捕らえ認識する画像と機械である再生装置がカメラ撮影部１０２でとらえて解析する画像が同じであったのに対して、実施の形態２では利用者である人間と、機械である再生装置が別々の画像情報を用いる点にある。
【００４８】
本例ではバーコードとして２次元バーコードを使用しているが、１次元バーコードであってもよい。また他次元のバーコードであってもよい。バーコードのフォーマットも適宜選択することができる。
【００４９】
再生装置３００はディスク挿入部１０１として、実施の形態１の第１〜第４のいずれかのディスク挿入部１０１Ａ〜１０１Ｄを用いることができる。図１７での挿入後の手順について図１９を使用して説明する。第１〜第４のいずれかの方法で光ディスク４００が挿入された後（ステップ８００）、挿入を検知したディスク挿入部１０１は、カメラ撮影部１０２に光ディスク４００の撮影指示を出す（ステップ８０１）。撮影指示を受けたカメラ撮影部１０２は光ディスク４００のレーベル面を撮影する（ステップ８０２）。撮影した結果は画像として記録される。
【００５０】
本実施の形態での撮影された映像の例を図２０に示す。図２０には光ディスク４００のレーベル面が写っている。光ディスク４００のレーベル面には、コンテンツシーン画像２０２ａ，２０２ｂ，２０２ｃ，２０２ｄと、各画像の横にコンテンツ情報バーコードが３０４ａ，３０４ｂ，３０４ｃ，３０４ｄとが写っている。この構成は図１８Ａと一致するはずである。撮影を行ったカメラ撮影部１０２の位置が固定もしくは位置の制御が行えている場合、ユーザの意思による光ディスク４００の挿入向きと図２０の写真の向きは一意に固定できるはずである。実施の形態２でも前述した第１〜第４のどれかのディスク挿入部１０１Ａ〜１０１Ｄを使用しているため、挿入方向は図２０の右側が早く、左側が遅く挿入されており、右側が挿入方向と特定できる。
【００５１】
図２０の映像をカメラ撮影部１０２から受け取った挿入位置判断部１０３は（ステップ８０３）、ユーザが選択したコンテンツ画像シーン２０２ａ，２０２ｂ，２０３ｃ，２０４ｄのどれかを特定する。この特定方法として夫々のコンテンツ画像に組になって存在しているコンテンツ情報バーコード３０４ａ，３０４ｂ，３０４ｃ，３０４ｄを使用する。
【００５２】
本例では挿入方向に一番近いコンテンツ情報バーコードは３０４ｂである。よって挿入位置判断部１０３は図２０の映像から選択されたコンテンツ情報バーコード３０４ｂを抜き出す（ステップ８０４）。
【００５３】
切り出されたコンテンツ情報バーコード３０４ｂを図２１に示す。挿入位置判断部１０３は図２１の画像を画像認識部１０４に引き渡す。画像認識部１０４はバーコードに記録された情報から再生すべきコンテンツを選択する（ステップ８０５）。特定されたコンテンツの情報をコンテンツ再生制御部１０５に伝え、コンテンツ再生制御部１０５は、光ディスクを回転させる（ステップ８０６）。この回転はＣＤやＤＶＤなどの光ディスクタイプの記録メディアでは読み出し方法として一般的に知られている方式である。つづいて光ディスク４００内のデータを読み出すためにピックアップ制御部１０７の制御を開始する（ステップ８０７）。読み出されたデータはコンテンツデコード部１０８に送られ、映像と音声として再生される（ステップ８０８）。
【００５４】
本実施の形態では、再生装置３００が再生すべきコンテンツを特定する場合に、バーコードを使用しているが、画像認識部１０４が文字認識機能を持っていた場合には、時間、トラック番号、チャプタ番号、シーン番号、画像枚数などコンテンツの一意のシーンを示すことができる文字で記載しても良い。
【００５５】
また実施の形態１の図１５Ａ〜図１５Ｃのコンテンツシーン画像のように、コンテンツの数ごとにコンテンツ画像と情報バーコードを配置することで、多数のコンテンツに対応することが可能である。
【００５６】
また実施の形態１の図１６のコンテンツシーン画像のように、情報バーコードの向きを一定方向にそろえることで情報バーコードの検出を容易にすることができる。
【００５７】
本実施の形態では、実施の形態１と比べて再生装置内の画像認識部１０４の処理構造が簡易となる。一方、光ディスクのレーベル面に人間がコンテンツシーンを特定するための情報とは別のバーコードなどの情報を記載しなければならないため、レーベル面の美しさが失われてしまうと共にデザイン上の制約を受けてしまうことがある。
【００５８】
（実施の形態３）
実施の形態１と同じように、次にレーベル面の画像から再生するシーンを特定する特徴を持つ実施の形態３について説明する。原理としては、実施の形態２と同じく人間が認識する画像と再生装置が認識する画像とが別々である方式である。
【００５９】
図２２に本実施の形態３の光ディスク５００の構造を示す。光ディスク５００は基軸点５０１を持つという一点を除いて図２Ａの光ディスク２００と同じである。この基軸点５０１は再生装置と光ディスクで決められたマークであり、他に同形状の画像がレーベル面上にない必要がある。基準点を最初のコンテンツの画像がある位置に配置する。図２２Ａはコンテンツシーン画像２０２ａの下部に設けている。記録データ面については図２Ｂと同一の面である。
【００６０】
図２３に示す再生装置６００において、図２２で示した光ディスク５００の再生コンテンツを求める方法を記載する。光ディスク５００を挿入した場合に、挿入位置と基準点５０１の間の角度を計測する。計測方法は実施の形態２と同じくカメラ撮影部１０２にて撮影する。またコンテンツ数ｎ（ここでは４）を光ディスク５００の情報を読み取って認識し、計測した角度が（３６０／ｎ）＊（ｋ−１）を満たすとしてｋを求める。こうして求めたｋ番目、即ち角度に応じた位置のコンテンツを再生する。図２３では９０度のずれがあり、ディスク一周分の３６０度を４で割ると９０度であるため、ｋ＝２となり、２番目のコンテンツを再生したいと考えていることがわかる。
【００６１】
ただしこの方法では、等間隔の角度になるため、コンテンツシーン画像を等角度で配置しなければ人間の認識している画像の位置と角度にズレが発生してしまう。
【００６２】
これの対策として、基準点５０１のマーカーに図形を使用するのではなく、バーコードのように情報が記録できる表記方式を用い、バーコードにコンテンツ数の情報を保持しておくようにしてもよい。
【産業上の利用可能性】
【００６３】
本発明にかかる再生装置と光ディスクは、複数ある光ディスクから利用者が再生したい光ディスクを特定するときに使用するレーベル面を使用して、レーベル面に一枚の光ディスク内にある複数のコンテンツから再生するコンテンツを選択する機能を付加する。これにより、従来のように光ディスクを再生装置に挿入後、リモコンなどの入力装置を使用してメニューを起動して、再生したいコンテンツを画面をみながら選択する必要がなくなり、ディスクを挿入時に挿入の方向で自動的に再生するコンテンツを特定することができる。従って光ディスク再生装置、再生システムに広く用いることができる。
【図面の簡単な説明】
【００６４】
【図１】本発明の実施の形態１の再生装置１００の構成を示すブロック図である。
【図２Ａ】実施の形態１の光ディスク２００のレーベル面構成を示す図である。
【図２Ｂ】実施の形態１の光ディスク２００のデータ記録面構成を示す図である。
【図３Ａ】実施の形態１のディスクトレイ方式の再生装置を示す図である。
【図３Ｂ】実施の形態１のディスクトレイ方式の光ディスク挿入フロー図である。
【図４Ａ】実施の形態１のスロットイン方式の再生装置を示す図である。
【図４Ｂ】実施の形態１のスロットイン方式の光ディスク挿入フロー図である。
【図５Ａ】実施の形態１のトップローディング方式の再生装置を示す図である。
【図５Ｂ】実施の形態１のトップローディング方式の光ディスク挿入フロー図である。
【図６Ａ】実施の形態１のシェルトップローディング方式の再生装置を示す図である。
【図６Ｂ】実施の形態１のシェルトップローディング方式の光ディスク挿入フロー図である。
【図７】実施の形態１の再生装置１００のコンテンツ再生手順のフロー図である。
【図８】実施の形態１の再生装置１００のカメラ撮影部１０２で撮影された画像図である。
【図９】実施の形態１の再生装置１００の挿入方式判断部１０３で切り出されたコンテンツシーン映像である。
【図１０】実施の形態１の変形例１による再生装置１００Ａの構成図である。
【図１１】実施の形態１の光ディスク２００を挿入時にカメラ撮影部１０２で撮影する場合の図である。
【図１２】実施の形態１の変形例２による再生装置１００Ｂの構成図である。
【図１３】実施の形態１の変形例３による再生装置１００Ｃの構成図である。
【図１４】実施の形態１の光ディスク２００を回転させカメラ撮影部１０２Ｂで撮影する場合の図である。
【図１５Ａ】実施の形態１のコンテンツが２つある場合の光ディスク２００のレーベル面の配置例である。
【図１５Ｂ】実施の形態１のコンテンツが３つある場合の光ディスク２００のレーベル面の配置例である。
【図１５Ｃ】実施の形態１のコンテンツが８つある場合の光ディスク２００のレーベル面の配置例である。
【図１６Ａ】実施の形態１の光ディスク２００のシーン画像を内向きに配置する場合を示す図である。
【図１６Ｂ】実施の形態１の光ディスク２００のシーン画像を外向きに配置する場合を示す図である。
【図１６Ｃ】実施の形態１の光ディスク２００の回転方向に配置する場合を示す図である。
【図１７】実施の形態２の再生装置３００の構成を示すブロック図である。
【図１８Ａ】実施の形態２の光ディスク４００のレーベル面構成を示す図である。
【図１８Ｂ】実施の形態２の光ディスク４００のデータ記録面構成を示す図である。
【図１９】実施の形態２の再生装置３００のコンテンツ再生手順のフローである。
【図２０】実施の形態２の再生装置３００のカメラ撮影部１０２で撮影された画像図である。
【図２１】実施の形態２の再生装置３００の挿入方式判断部１０３で切り出されたコンテンツ情報バーコードである。
【図２２Ａ】実施の形態３の光ディスク５００のレーベル面構成を示す図である。
【図２２Ｂ】実施の形態３の光ディスク５００のデータ記録面構成を示す図である。
【図２３】実施の形態３の再生装置６００に光ディスク５００を挿入する状態を示す図である。
【図２４】特許文献１記載の光ディスク再生装置１００１の概略図である。
【符号の説明】
【００６５】
１００，１００Ａ，１００Ｂ．１００Ｃ，３００，６００  再生装置
１０１，１０１Ａ，１０１Ｂ．１０１Ｃ，１０１Ｄ  ディスク挿入部
１０２，１０２Ａ，１０２Ｂ  カメラ撮影部
１０３  挿入位置判断部
１０４  画像認識部
１０５  コンテンツ再生制御部
１０６  ディスク制御部
１０７  ピックアップ制御部
１０８  コンテンツデコード部
２００，４００，５００  光ディスク
２０１  回転穴
２０２ａ，２０２ｂ，２０２ｃ，２０２ｄ  コンテンツシーン画像
２０３  記録データ
３０１  ディスクトレイ
３０２  ディ行くトレイ開閉スイッチ
４０１  スロットイン挿入口
４０２  光ディスク送出スイッチ
５０１  トップローディング開閉口
５０２  トップローディング開きスイッチ
６０１  シェルトップローディング挿入口
６０２  シェルトップローディング開きスイッチ
３０４ａ，３０４ｂ，３０４ｃ，３０４ｄ  コンテンツ情報バーコード
５０１  基軸点
１００１  光ディスク再生装置
１００２，１０１１  通信部
１０１０  リモコン装置
１０１２  表示装置
１０１３  入力ボタン
【図１】
2010097627.tif 000003
【図２Ａ】
2010097627.tif 000004
【図２Ｂ】
2010097627.tif 000005
【図３Ａ】
2010097627.tif 000006
【図３Ｂ】
2010097627.tif 000007
【図４Ａ】
2010097627.tif 000008
【図４Ｂ】
2010097627.tif 000009
【図５Ａ】
2010097627.tif 000010
【図５Ｂ】
2010097627.tif 000011
【図６Ａ】
2010097627.tif 000012
【図６Ｂ】
2010097627.tif 000013
【図７】
2010097627.tif 000014
【図８】
2010097627.tif 000015
【図９】
2010097627.tif 000016
【図１０】
2010097627.tif 000017
【図１１】
2010097627.tif 000018
【図１２】
2010097627.tif 000019
【図１３】
2010097627.tif 000020
【図１４】
2010097627.tif 000021
【図１５Ａ】
2010097627.tif 000022
【図１５Ｂ】
2010097627.tif 000023
【図１５Ｃ】
2010097627.tif 000024
【図１６Ａ】
2010097627.tif 000025
【図１６Ｂ】
2010097627.tif 000026
【図１６Ｃ】
2010097627.tif 000027
【図１７】
2010097627.tif 000028
【図１８Ａ】
2010097627.tif 000029
【図１８Ｂ】
2010097627.tif 000030
【図１９】
2010097627.tif 000031
【図２０】
2010097627.tif 000032
【図２１】
2010097627.tif 000033
【図２２Ａ】
2010097627.tif 000034
【図２２Ｂ】
2010097627.tif 000035
【図２３】
2010097627.tif 000036
【図２４】
2010097627.tif 000037